(57)【要約】【課題】攪拌容器を具備する課題とするタイプのフードプロセッサを、使用の際に有利になるように更に向上させる一方で、引き続き便利に機能させること。【解決手段】  本発明は、攪拌容器(4)を具備するフードプロセッサ(1)に関する。攪拌容器(4)は固定動作によってフードプロセッサ(1)の中で保持され、保持する目的で、ロック部品(8)と、攪拌容器(4)の上に載置された蓋(12)の周縁部とが係合し、更に、蓋(12)と攪拌容器(4)の間でシール材(19)が保持される。上方から係合させて蓋/滑り部チャンバ(22)に収容する滑り部(20)を介して、蓋(12)がシール材(19)の上に載置される。本発明の目的は、課題とするタイプのフードプロセッサを、使用の際に有利になるように更に向上させることである。その目的で、蓋/滑り部チャンバ(22)は、シール材(19)の領域に限られており、攪拌容器壁(9)の突起(P)の領域にある半径方向の内側の領域には壁部(24)が位置している。【選択図】  図１、２
2008543467.tif 000002
【特許請求の範囲】
【請求項１】
攪拌容器（４）を具備するフードプロセッサ（１）であり、前記攪拌容器（４）はロック動作によってフードプロセッサ（１）の中で保持され、保持する目的で、ロック部品（８）と、前記攪拌容器（４）の上に載置される蓋（１２）の周縁部とが係合し、更に、前記蓋（１２）と前記攪拌容器（４）の間でシール材（１９）が保持され、上方から係合させて蓋／滑り部チャンバ（２２）に収容する滑り部（２０）を介して、前記蓋（１２）が前記シール材（１９）の上に載置されるフードプロセッサ（１）において、
前記蓋／滑り部チャンバ（２２）が、前記シール材（１９）の領域に限られており、攪拌容器壁（９）の突起（Ｐ）の領域にある半径方向の内側の領域に壁部（２４）が位置していることを特徴とするフードプロセッサ。
【請求項２】
閉鎖手段である前記蓋（１２）が、これと係合する閉鎖リング（３１）を具備し、前記閉鎖リング（３１）は前記蓋（１２）に対して相対的に回転可能であり、
前記蓋（１２）に対する相対的な回転位置とは無関係に、前記閉鎖リング（３１）が半径方向の外側に伸びるロック用カラー（１３）を具備することを特徴とする請求項１に記載のフードプロセッサ。
【請求項３】
攪拌容器（４）を具備するフードプロセッサ（１）であり、前記攪拌容器（４）はロック動作によってフードプロセッサ（１）の中で保持され、保持する目的で、ロック部品（８）と、前記攪拌容器（４）の上に載置される蓋（１２）の閉鎖リング（３１）の周縁部とが係合し、更に、前記蓋（１２）と前記攪拌容器（４）の間でシール材（１９）が保持され、前記閉鎖リング（３１）が前記蓋（１２）に対して相対的に回転可能であるフードプロセッサ（１）において、
前記蓋（１２）に対する相対的な回転位置とは無関係に、前記閉鎖リング（３１）が半径方向の外側に伸びるロック用カラー（１３）を具備することを特徴とするフードプロセッサ。
【請求項４】
前記蓋（１２）又は前記閉鎖リング（３１）が、上方から係合させて蓋／滑り部チャンバ（２２）に収容する滑り部（２０）を介して前記シール材（１９）の上に載置されるフードプロセッサにおいて、
前記蓋／滑り部チャンバ（２２）が、前記シール材（１９）の領域に限られており、攪拌容器壁（９）の突起（Ｐ）の領域にある半径方向の内側の領域に壁部（２４）が位置していることを特徴とする請求項３に記載のフードプロセッサ。
【請求項５】
軟質の材料から成る前記シール材（１９）を、硬質のプラスチック材料から成る前記滑り部（２０）で封入することを特徴とする請求項１乃至４のいずれか１項に記載のフードプロセッサ。
【請求項６】
半径方向の動きを防止する点で、前記滑り部（２０）が、前記蓋（１２）に嵌合して収容されることを特徴とする請求項１乃至５のいずれか１項に記載のフードプロセッサ。
【請求項７】
前記シール材（１９）が、前記滑り部（２０）とのクリップ動作を介することで前記蓋（１２）に当着することを特徴とする請求項１乃至６のいずれか１項に記載のフードプロセッサ。
【請求項８】
前記滑り部（２０）が、前記シール材（１９）を用いることで前記蓋（１２）に嵌合して収容されることを特徴とする請求項１乃至７のいずれか１項に記載のフードプロセッサ。
【請求項９】
前記蓋（１２）が、同時に前記滑り部（２０）をも形成することを特徴とする請求項１乃至８のいずれか１項に記載のフードプロセッサ。
【請求項１０】
前記閉鎖リング（３１）が、前記滑り部（２０）を形成する前記蓋（１２）の外側に載置されることを特徴とする請求項１乃至９のいずれか１項に記載のフードプロセッサ。
【発明の詳細な説明】
【技術分野】
【０００１】
本発明は、第一に、攪拌容器を具備するフードプロセッサに関する。このフードプロセッサにおいて、攪拌容器はロック動作によってフードプロセッサの中で保持され、保持する目的で、ロック部品と、攪拌容器の上に載置される蓋の周縁部とが係合し、更に、蓋と攪拌容器の間でシール材が保持され、上から係合させて蓋／滑り部チャンバに収容する滑り部を介して、蓋はシール材の上に載置される。
【背景技術】
【０００２】
課題とするこのタイプのフードプロセッサは公知である。通常、これらのフードプロセッサは、取り外しが可能な攪拌容器を具備し、攪拌容器には攪拌機構が内設してある。また、例えば、特許文献１で開示されるように、追加的又は代替的に攪拌容器を熱せられるフードプロセッサが知られている。特許文献１の攪拌容器は、フードプロセッサの攪拌容器保持器に挿入できる。この攪拌容器に付設される蓋は、フードプロセッサのロック部品に、差し込みピンのように係合する。蓋と、それに付設される、攪拌容器の周縁部の間にシール材が設けられる。ここでは、蓋／シール材の組合せ部分と、攪拌容器の周縁部が相対的に動いてしまわないようにする解決方法が知られている。これらの解決方法では、攪拌容器の軸を共通の軸として、蓋に対して、その軸の周りを相対的に回転させることができる滑り部にシール材が収容される。こうして、蓋はシール材に作用せずに回転されてロック位置に達する。
【特許文献１】独国公開第１０２１０４４２Ａ１号公報
【発明の開示】
【発明が解決しようとする課題】
【０００３】
それ故、上述の従来技術に関して本発明が解決しようとする技術的課題は、攪拌容器を具備する課題とするタイプのフードプロセッサを、使用の際に有利になるように更に向上させる一方で、引き続き便利に機能させることである。
【課題を解決するための手段】
【０００４】
第一に、この問題は請求項１の構成によって対処される。これは、蓋／滑り部チャンバの領域が、シール材が密封する領域によって限られており、滑り部チャンバの半径方向の内側の壁が、攪拌容器壁の突起の領域に位置していることで対処される。本発明のこの構成の結果、半径方向における蓋／滑り部チャンバの大きさは、半径方向におけるシール材の幅に基づき、最小限の寸法に制限される。それ故、蓋／滑り部チャンバと攪拌容器の蓋の間に形成される隙間も狭くなる。この隙間は、フードプロセッサの攪拌容器を使用する際に特にひどく汚れやすい。よって、本発明によれば、この汚れやすい隙間が最小限に狭まる。また、選択したこの構成によって、シール材と滑り部の取り付け及び取り外しを簡単に行えるようになる。更に、蓋による解決方法に関連して、半径方向における滑り部チャンバと滑り部との境界は、滑り部の大きさに基づいて、重量の軽減を達成する。この解決方法において、蓋／滑り部チャンバが半径方向の内側に伸び、環状のシール材に対する突起の領域を超え、攪拌容器底部の突起に位置する中央領域に伸び出している。
【０００５】
請求項２の主題は、請求項１の主題に関連して説明するが、それ自体の構成の点においても重要である。課題とするタイプのフードプロセッサにおいて、閉鎖手段である蓋は、これと係合する閉鎖リングを具備し、閉鎖リングは蓋に対して相対的に回転させることができる。このように、課題とするタイプのフードプロセッサの場合、蓋に対する相対的な回転位置とは無関係に、閉鎖リングは半径方向の外側に伸びるロック用カラーを具備する。この結果、閉鎖リングと蓋の間における相対的運動が可能となる。この相対的運動によって、蓋と攪拌容器の周縁部の間に位置するシール材に対して閉鎖の回転方向に加えられる負荷が効率よく減る。その結果、使用者が操作時に要する労力は最小限となる。閉鎖リングの半径方向の外側に伸びるロック用カラーは、フードプロセッサのロック部品と係合する。ロック部品は、近似的に差込封止具（bayonet closure）のように攪拌容器を係合して収容する。蓋のロック用カラー、又は閉鎖リングがフードプロセッサのロック部品と係合することで、攪拌容器の蓋と、フードプロセッサの中の配置用底部との間で攪拌容器が固定される。ここでは、蓋又は蓋の部品と、攪拌容器が直接的に固定されないことが好ましい。
【０００６】
また、本発明は、攪拌容器を具備するフードプロセッサに関する。このフードプロセッサにおいて、攪拌容器はロック動作によってフードプロセッサの中で保持され、保持する目的で、ロック部品と、攪拌容器の上に載置される蓋の閉鎖リングの周縁部とが係合し、更に、蓋と攪拌容器の間でシール材が保持され、閉鎖リングは蓋に対して相対的に回転させることができる。
【０００７】
課題とするこのタイプのフードプロセッサは、上記の特許文献１により知られている。また、例えば圧力調理器のような、圧力容器を対象とした解決方法がある。これらの解決方法では、圧力調理器の蓋は閉鎖リングを具備する。閉鎖リングは、蓋に対して相対的に回転させることができて、好ましい形で蓋を圧力容器にロックすることを企図している。
【０００８】
課題とするこのタイプのフードプロセッサを、攪拌容器をロックする際及びロックを解除する際の取り扱いの点で更に向上させるために、蓋に対する相対的な回転位置とは無関係に、閉鎖リングに半径方向の外側に伸びるロック用カラーを具備させることが提案されている。この結果、閉鎖リングと蓋の間における相対的運動が可能となる。この相対的運動によって、蓋と攪拌容器の周縁部の間に位置するシール材に対して閉鎖の回転方向に加えられる負荷が効率よく減る。その結果、使用者が操作時に要する労力は最小限となる。閉鎖リングの半径方向の外側に伸びるロック用カラーは、蓋に対して回転させることができ、フードプロセッサのロック部品と係合する。
【０００９】
ここでは、請求項４の主題を、請求項３の主題に関連して以下で説明するが、請求項４はそれ自体の構成の点においても重要である。課題とするタイプのフードプロセッサにおいて、蓋又は閉鎖リングは、上から係合させて蓋／滑り部チャンバに収容する滑り部を介してシール材の上に載置される。このタイプのフードプロセッサでは、蓋／滑り部チャンバの領域が閉鎖リングによって限られており、半径方向の内側の壁は、攪拌容器壁の突起の領域に位置している。この構成の結果、半径方向における蓋／滑り部チャンバの大きさは、半径方向におけるシール材の幅に基づき、最小限の寸法に制限される。それ故、蓋／滑り部チャンバと攪拌容器の蓋の間に形成される隙間も狭くなる。この隙間は、フードプロセッサの攪拌容器を使用する際に特にひどく汚れやすい。シール材と滑り部の取り付け及び取り外しを簡単に行えるようになる。
【００１０】
ここで、その他の請求項の主題を、請求項１及び／又は請求項３の主題と関連しながら以下で説明するが、これらの主題はその各々の構成の点においても重要である。軟質の材料から成るシール材を、硬質のプラスチック材料から成る滑り部で封入することが有利であることが証明される。この構成によって、２つの部品から成るシール部品が提供される。このシール部品は、硬質のプラスチック材料から成る滑り部を介して、蓋又は閉鎖リングの内側、即ち蓋／滑り部チャンバの中を滑る。それと同時に、軟質の材料から成るシール材は、攪拌容器の周縁部を閉鎖する。尚、この滑り部に因り、シール材自身は回転させることができない。このため、シール材又はシール部品が、不適切に取り付けられてしまうことを避けられる。また、蓋の中のシール材又はシール部品の取り付け及び取り外しが有意に促される。
【発明を実施するための最良の形態】
【００１１】
更に、好ましい構成の１つにおいては、半径方向の動きを防止する点で、滑り部は、蓋又は蓋／滑り部チャンバの内側に嵌合する形で収容される。こうすることで、特に、蓋に付設される滑り部に関して明確に定めた半径方向の構成が提供される。その際、随意的に、滑り部にシール材を当着させる。例えば、滑り部及び／又はシール材を掃除する目的で、嵌合する形で収容されている滑り部を取り外すことができる。それ故、クリップ動作によって滑り部を介することで、シール材を蓋に当着させることが可能となる。当着させる目的で、蓋は、滑り部を掴むために、対応するクリップ部品を具備する。代替として、こうしたクリップ部品は、滑り部と一体的に形成されてもよい。これは、対応する、蓋の嵌合手段と噛み合わせるためである。
【００１２】
更にもう１つの代替構成では、シール材を用いることで、滑り部を蓋に嵌合する形で保持させることが可能である。その目的で、例えば、蓋はシール材を保持するための手段を具備する。
【００１３】
更にもう１つの代替構成においては、蓋が同時に滑り部をも形成する。特に、蓋又は滑り部に対して相対的に回転可能な閉鎖リングを具備する構成の場合、蓋は滑り部を形成する。それ故、その際閉鎖リングは、滑り部を形成する蓋の外側に載置される。
【００１４】
提案した全解決方法において、蓋を攪拌容器の上に載置し、攪拌容器から持ち上げることができる。その際、蓋は攪拌容器に対して軸方向に動かされる。こうすることで、（調理用の）被攪拌物が、攪拌容器の周縁部に勝手に垂れてしまうリスクを最小限に食い止められる。また、提案する蓋／閉鎖リングの解決方法の場合、これら２つの構成部品を、例えば、プラスチック材料と金属といった異なる材料の混合物から生成することもできる。更に、２種類の異なるプラスチック材料を用いることで、閉鎖リングが蓋に対して相対的に動く際の摩擦が必ず低くなる。これらのプラスチック材料は、好適には硬質の滑り部を形成する。
【００１５】
以下、添付の図面を参照しながら本発明をより詳細に説明する。尚、添付図面は、種々の実施形態の例示に過ぎない。
【００１６】
まず、図１を参照しながら、攪拌容器保持器２と操作パネル３を具備する図中のフードプロセッサ１を説明する。
【００１７】
攪拌容器４は、攪拌容器保持器２に挿入することでフードプロセッサ１に付設される。攪拌容器４の中には、底部に攪拌機構（図示せず）が付設してある。攪拌機構は、フードプロセッサ１の攪拌容器保持器２の下側に設けられた電気駆動装置（図示せず）を介して動作させる。
【００１８】
攪拌容器保持器２は、実質的に、対抗して設けられた２つの搭状顎状部６によって形成される。水平溝を成すロック部品８は、搭状顎状部６の段部７領域に設けられる。
【００１９】
攪拌容器４は、断面の丸い容器のように形成される。断面は、攪拌容器４の開口１５の方向、即ち上方に向かって円錐状に広がる。攪拌容器壁９は、金属材料から成る。
【００２０】
攪拌容器４の開口１５側で、攪拌容器壁９は、半径方向の外側を向いたカラー状の攪拌容器周縁部１０に合流する。
【００２１】
また、攪拌容器４は、垂直に向けられたハンドル１１を具備する。ハンドル１１は、攪拌容器４の底部と攪拌容器周縁部１０に固定される。
【００２２】
ｘは攪拌容器４の中心軸を示す。攪拌容器４が挿入されている状態で、中心軸ｘは垂直に伸びる。また、攪拌容器４の底部領域に設けられた攪拌機構（図示せず）は、この中心軸ｘを中心として回転する。
【００２３】
攪拌容器４は、ハンドル１１が搭状顎状部６の間を自在に伸びて操作パネル３の方を向くようにしてフードプロセッサ１に付設される。攪拌容器４の底部領域は、不可欠である、フードプロセッサ１の底部によって支持される。攪拌機構用の電気駆動装置と攪拌機構は、フードプロセッサを操作する過程で連動する。
【００２４】
攪拌容器４には、蓋１２が置かれる。蓋１２は、ロック動作を行うために、好適には時計方向に回転させることができる。その目的で、蓋１２は、半径方向の外側に突き出たロック用カラー１３を有する。ロック用カラー１３は、蓋１２の外側の周縁部の両側に、互いに対抗させて設けられる。蓋１２が回転する際、ロック用カラー１３は、水平溝の形をした、攪拌容器保持器２のロック部品８に差し込まれる。蓋１２の回転操作を向上させるために、蓋１２は、好適には親指操作が可能な横木状のグリップ１４を具備する。
【００２５】
蓋１２は、充填用の開口１５を中央に具備する。開口１５は、中心軸ｘに対して同軸上にあり、中央円筒壁１６に囲まれている。中央円筒壁１６は、蓋１２の下側から伸び出ている。まず、充填用の開口１５の周縁部から、蓋１２は鋭角を成して多少上方へ伸び、周縁部領域で水平部に合流する。蓋１２には、水平部と、若干上方に伸び出た部分との間の移行領域に、環状直角カラー１７が形成される。環状直角カラー１７は、上側、即ち攪拌容器４の中心から離れた方向に蓋１２と一体的に形成される。
【００２６】
蓋１２の水平部１８と、攪拌容器４の攪拌容器周縁部１０の間には、例えばゴムである、軟質の材料から成るシール材１９が設けられる。このシール材１９の下側は、特に蓋１２がロック位置にある蓋１２の閉鎖状態において密封機能を果たす。シール材１９の下側は攪拌容器４の方に向けられる。この状態において、ロック用カラー１３は、フードプロセッサ１のロック部品８と噛み合う。
【００２７】
蓋１２が中心軸ｘを中心として回転する際に、攪拌容器周縁部１０の上にあるシール材１９が回転方向に相対的に動いてしまわないようにするために、滑り部２０が設けられる。回転動作は、蓋１２をロックする上で必要であるため、攪拌容器４をフードプロセッサ１に固定する上でも必要である。この滑り部２０は、シール材１９と、ロック用カラー１３を具備し回転させられる閉鎖リング３１の間に位置する。この滑り部２０は、硬質のプラスチック材料から成る。
【００２８】
図２及び図３で示される例示的実施形態では、シール材１９を硬質プラスチック材料で封入して滑り部２０を形成する。シール材１９の、攪拌容器周縁部１０に接する面は封入しないでおく。こうして得られた、２つの部品から成るシール部品２１は、蓋１２の水平部１８領域の下側にある蓋／滑り部チャンバ２２に収容される。この蓋／滑り部チャンバ２２は、半径方向の外側で壁部２３に接する。壁部２３は、蓋１２の水平部１８の下側から突き出ており、中心軸ｘに対して同軸上に位置している。更に、壁部２３の下向き周縁部の自由端には、半径方向の外側に突き出たロック用カラー１３が、直径方向に対抗する２つの位置に一体的に形成される。
【００２９】
滑り部チャンバ２２には、もう１つの壁部２４によって、半径方向の内側に境界が形成される。壁部２４は、水平部１８の下側に突き出ており、中心軸ｘに対して同軸上に位置している。壁部２４は、壁部２３と実質的に平行であり、その結果、滑り部チャンバ２２の断面は、近似的に長方形をなしている。
【００３０】
滑り部チャンバ２２の中で、２つの部品から成るシール部品２１は、例えば開放可能に係止することで保持される。そのため、シール部品２１は掃除の際には非常に容易に滑り部チャンバ２２から取り外すことができる。
【００３１】
蓋１２は、滑り部チャンバ２２の領域で、特に突起２５を介して滑り部２０によって支持される。突起２５は、水平部１８の下側から滑り部チャンバ２２に突き出ている。このため、滑り部２０は、突起２５に対応する位置に、突起２５と噛み合う溝２６を具備する。この構成によって、蓋１２は、滑り部２０において点状に支持され、又周線を上から見た場合は線状に支持されている。滑り部２０の平面図は環状である。
【００３２】
実質的に、半径方向における滑り部チャンバ２２の大きさは、同方向に測定したシール材１９及び／又は滑り部２０の幅に制限され、その幅に適合する。滑り部チャンバ２２の内側の壁部２４は、攪拌容器壁９の突起Ｐの領域に位置する。それ故、滑り部２０と滑り部チャンバ２２の間に位置する隙間は狭くなる。本来、この隙間は、フードプロセッサ１の攪拌容器４を使用する際ひどく汚れやすい。
【００３３】
図３の実施形態によれば、半径方向の内側に近似的に水平に突き出た舌状の密封突起２７をシール材１９に具備させることで、滑り部２０と滑り部チャンバ２２の間の隙間の汚れ防止に役立てられる。この密封突起２７は、シール材１９の下側、即ち攪拌容器周縁部１０と接する側に具備される。軟質の構成部品であるこの密封突起２７を設けることで、自動的に密封力を高めることが可能となる。攪拌容器周縁部１０を上ってきた任意の（調理用の）被攪拌物は、蓋１２の密封端部に密封突起２７を自動的に押し上げる。この密封端部は、半径方向の内側にある壁部２４によって形成される。密封突起２７が押し上げられた結果、（調理用の）被攪拌物は、滑り部２０と滑り部チャンバ２２の間の隙間に入り込めなくなる。
【００３４】
シール材１９を硬質のプラスチック材料で封入して滑り部２０を形成する代わりに、逆にシール材１９を滑り部２０の中に圧力ばめ又は嵌合して配置することもできる。
【００３５】
図４の断面図は、更にもう１つの代替構成を示す。この場合、硬質のプラスチック材料によって形成される滑り部２０は、同時に蓋１２をも形成する。第一及び第二の実施形態（図２及び図３）の滑り部２０と同様に、この例示的実施形態においても、滑り部２０はロック動作中に攪拌容器４に対して相対的に回転させることができなく、特に、攪拌容器周縁部１０に対して相対的に回転させることができない。
【００３６】
滑り部２０として形成される蓋１２は、攪拌容器周縁部１０に付設された水平部２８の下側に、シール材１９用の嵌合保持体２９(form fitting holder)を形成する。ここでも同様に、代替構成として、滑り部２０として形成される蓋１２を形成する硬質のプラスチック材料によってシール材１９を封入することができる。
【００３７】
蓋１２を配置した状態において、嵌合保持体２９から半径方向に内側にずれた位置であり、攪拌容器壁９に対する突起領域Ｐでは、垂直カラー１７が蓋１２の水平部２８から突き出ている。
【００３８】
閉鎖リング３１の半径方向に内側の周辺端部は、環状溝３０に位置する。周辺端部は、蓋１２及び／又は滑り部２０に保持され、環状溝３０は垂直カラー１７の壁の外側に形成される。この閉鎖リング３１は、蓋１２の垂直カラー１７を始点とし、半径方向の外側に水平に伸びる。閉鎖リング３１は、最終的に環状カラー３２に合流する。環状カラー３２は、滑り部２０又は滑り部２０の半径方向に外側の壁部２３の上に係合する。この環状カラー３２は、閉鎖リング３１を蓋に対して半径方向及び軸方向にロックするために、半径方向の内側に突き出た嵌合手段を具備する。閉鎖リング３１をロックする過程において、閉鎖リング３１は、蓋１２に対して相対的に回転させられるようになる。
【００３９】
直径方向の外側に突き出たロック用カラー１３は、環状カラー３２の直径方向に対抗する部分に一体的に形成される。この部分は、環状カラー３２の自由周縁部であり、下を向いていて、各々の側において、ロック用カラー１３がフードプロセッサ１のロック部品８と係合する。
【００４０】
この実施形態において、閉鎖リング３１の環状カラー３２は、閉鎖リング３１の水平部と共に、滑り部チャンバ２２を形成する。滑り部チャンバ２２は、下向き方向に開口しており、この場合でも、実質的にシール材１９が密封する領域に限られる。閉鎖リング３１の半径方向に内側の周辺端部３１’は、壁部２４と同様に、蓋／滑り部チャンバ２２の半径方向の内側境界を形成し、攪拌容器壁９の突起Ｐの領域に位置している。
【００４１】
この実施形態において、攪拌容器４の上に載置される蓋１２は、閉鎖リング３１を回転させることでロックされる。閉鎖リング３１は、滑り部２０の水平部２８の面上を低摩擦で摺動する。
【００４２】
３つの実施形態の全てが、滑り部２０として形成される硬質の滑り部品と、シール材１９として形成される密封部品とを有する、２つの部品から成るシール部品２１を具備する。蓋１２を介して攪拌容器４をフードプロセッサ１に固定する操作は、別個の部品である蓋１２又は閉鎖リング３１を回転させることで行われる。閉鎖リング３１は、シール材１９と離れており、硬質の滑り部品のみと係合する。
【００４３】
開示された特徴は、その全てが（それ自身が）発明の要部を成す。これでもって、出願において、付随／添付の優先権の基礎書面（先の出願のコピー）の公開内容は、また十分に取り込まれ、この書面の目的及び特徴に関しても、また、先の出願の特許請求の範囲内に含まれている。
【図面の簡単な説明】
【００４４】
【図１】攪拌容器を保持する、課題とするタイプのフードプロセッサの斜視図を示す。
【図２】攪拌容器の、蓋側周縁領域の横断面図を示す。第一の実施形態に関するものである。
【図３】図２に対応する横断面図であるが、第二の実施形態に関するものである。
【図４】図２の横断面図であるが、第三の実施形態に関するものである。
【符号の説明】
【００４５】
１  フードプロセッサ
２  攪拌容器保持器
３  操作パネル
４  攪拌容器
６  搭状顎状部
７  段部
８  ロック部品
９  攪拌容器壁
１０  攪拌容器周縁部
１１  ハンドル
１２  蓋
１３  ロック用カラー
１４  グリップ
１５  開口
１６  中央円筒壁
１７  環状直角カラー
１８  水平部
１９  シール材
２０  滑り部
２１  シール部品
２２  蓋／滑り部チャンバ
２３  壁部
２４  壁部
２５  突起
２６  溝
２７  密封突起
２８  水平部
２９  嵌合保持体
３０  環状溝
３１  閉鎖リング
３１’  周辺端部
３２  環状カラー
Ｐ  突起
ｘ  中心軸
【図１】
2008543467.tif 000003
【図２】
2008543467.tif 000004
【図３】
2008543467.tif 000005
【図４】
2008543467.tif 000006
【手続補正書】
【提出日】平成19年8月8日(2007.8.8)
【手続補正１】
【補正対象書類名】特許請求の範囲
【補正対象項目名】全文
【補正方法】変更
【補正の内容】
【特許請求の範囲】
【請求項１】
攪拌容器（４）を具備するフードプロセッサ（１）であり、前記攪拌容器（４）はロック動作によってフードプロセッサ（１）の中で保持され、保持する目的で、ロック部品（８）と、前記攪拌容器（４）の上に載置される蓋（１２）の周縁部とが係合し、更に、前記蓋（１２）と前記攪拌容器（４）の間でシール材（１９）が保持され、上方から係合させて蓋／滑り部チャンバ（２２）に収容する滑り部（２０）を介して、前記蓋（１２）が前記シール材（１９）の上に載置されるフードプロセッサ（１）において、
前記蓋（１２）が前記シール材（１９）とは別個であることと、前記蓋／滑り部チャンバ（２２）が、前記シール材（１９）の領域に限られており、攪拌容器壁（９）の突起（Ｐ）の領域にある半径方向の内側の領域に壁部（２４）が位置していることを特徴とするフードプロセッサ。
【請求項２】
閉鎖手段である前記蓋（１２）が、これと係合する閉鎖リング（３１）を具備し、前記閉鎖リング（３１）は前記蓋（１２）に対して相対的に回転可能であり、
前記蓋（１２）に対する相対的な回転位置とは無関係に、前記閉鎖リング（３１）が半径方向の外側に伸びるロック用カラー（１３）を具備することを特徴とする請求項１に記載のフードプロセッサ。
【請求項３】
攪拌容器（４）を具備するフードプロセッサ（１）であり、前記攪拌容器（４）はロック動作によってフードプロセッサ（１）の中で保持され、保持する目的で、ロック部品（８）と、前記攪拌容器（４）の上に載置される蓋（１２）の閉鎖リング（３１）の周縁部とが係合し、更に、前記蓋（１２）と前記攪拌容器（４）の間でシール材（１９）が保持され、前記閉鎖リング（３１）が前記蓋（１２）に対して相対的に回転可能であるフードプロセッサ（１）において、
前記蓋（１２）に対する相対的な回転位置とは無関係に、前記閉鎖リング（３１）が半径方向の外側に伸びるロック用カラー（１３）を具備することを特徴とするフードプロセッサ。
【請求項４】
前記蓋（１２）又は前記閉鎖リング（３１）が、上方から係合させて蓋／滑り部チャンバ（２２）に収容する滑り部（２０）を介して前記シール材（１９）の上に載置されるフードプロセッサにおいて、
前記蓋／滑り部チャンバ（２２）が、前記シール材（１９）の領域に限られており、攪拌容器壁（９）の突起（Ｐ）の領域にある半径方向の内側の領域に壁部（２４）が位置していることを特徴とする請求項３に記載のフードプロセッサ。
【請求項５】
軟質の材料から成る前記シール材（１９）を、硬質のプラスチック材料から成る前記滑り部（２０）で封入することを特徴とする請求項１乃至４のいずれか１項に記載のフードプロセッサ。
【請求項６】
半径方向の動きを防止する点で、前記滑り部（２０）が、前記蓋（１２）に嵌合して収容されることを特徴とする請求項１乃至５のいずれか１項に記載のフードプロセッサ。
【請求項７】
前記シール材（１９）が、前記滑り部（２０）とのクリップ動作を介することで前記蓋（１２）に当着することを特徴とする請求項１乃至６のいずれか１項に記載のフードプロセッサ。
【請求項８】
前記滑り部（２０）が、前記シール材（１９）を用いることで前記蓋（１２）に嵌合して収容されることを特徴とする請求項１乃至６のいずれか１項に記載のフードプロセッサ。
【請求項９】
前記蓋（１２）が、同時に前記滑り部（２０）をも形成することを特徴とする請求項１乃至５のいずれかに記載のフードプロセッサ。
【請求項１０】
前記閉鎖リング（３１）が、前記滑り部（２０）を形成する前記蓋（１２）の外側に載置されることを特徴とする請求項３又は４のいずれかに記載のフードプロセッサ。
【国際調査報告】
2008543467.tif 000007
2008543467.tif 000008
2008543467.tif 000009
2008543467.tif 000010
2008543467.tif 000011
2008543467.tif 000012
2008543467.tif 000013
2008543467.tif 000014
2008543467.tif 000015
2008543467.tif 000016